(57)【要約】      （修正有）【課題】スキャンデータ回転機能を用いる場合でも、送信画像データを保存するメモリの削減とファクシミリ送信処理時間の短縮を図る。【解決手段】ファクシミリ装置は、スキャナ部１４０に設けられた原稿サイズ検出部１４１と、スキャン画像データに対して解像度変換処理を施す非回転系画像処理部１２１ａと、スキャン画像データに対して回転処理を施した後解像度変換処理を施す回転系画像処理部１２１ｂと、非回転画像データを二値化する非回転系二値化部１２２ａと、二値化された非回転画像データを保存する非回転系バッファメモリと、回転画像データを二値化する回転系二値化部１２２ｂと、二値化された非回転画像データを保存する回転系バッファメモリと、からなり、原稿サイズ検出部１４１によって１枚の原稿の読み取り完了直後に検知された原稿サイズに応じて該非回転系バッファメモリ又は該回転系バッファメモリのいずれかを解放するようにした。【選択図】図３
2008205997.tif 000002
【特許請求の範囲】
【請求項１】
原稿を搬送しながら原稿画像を読取るシートフィード式画像読み取り手段と、
該画像読み取り手段に設けられ原稿サイズを検知する原稿サイズ検知手段と、
該画像読み取り手段で読み取ったスキャン画像データに対して解像度変換処理を施す第１画像処理手段と、
該画像読み取り手段で読み取ったスキャン画像データに対して回転処理を施した後解像度変換処理を施す第２画像処理手段と、
該第１画像処理手段により生成された非回転画像データを二値化する第１二値化処理手段と、
該第１二値化処理手段により二値化された非回転画像データを保存する第１二値化バッファメモリ手段と、
該第２画像処理手段により生成された回転画像データを二値化する第２二値化処理手段と、
該第２二値化処理手段により二値化された非回転画像データを保存する第２二値化バッファメモリ手段と、からなり、
該原稿サイズ検知手段によって１枚の原稿の読み取り完了直後に検知された原稿サイズに応じて該第１画像処理手段又は該第２画像処理手段のいずれかを解放することを特徴とするファクシミリ装置。
【請求項２】
該原稿サイズ検知手段によって１枚の原稿の読み取り完了直後に検知された原稿サイズに応じて該第１二値化バッファメモリ手段又は該第２二値化バッファメモリ手段のいずれかを解放することを特徴とする請求項１に記載のファクシミリ装置。
【請求項３】
該第１二値化処理手段により二値化された非回転画像データを符号化する第１符号化手段と、
該第１符号化手段により符号化された非回転画像データを保存する第１符号化バッファメモリ手段と
該第２二値化処理手段により二値化された回転画像データを符号化する第２符号化手段と、を有し、
該第２符号化手段により符号化された回転画像データを保存する第２符号化バッファメモリ手段と、を有し、
該原稿サイズ検知手段によって１枚の原稿の読み取り完了直後に検知された原稿サイズに応じて該第１符号化バッファメモリ手段又は該第２符号化バッファメモリ手段のいずれかを解放することを特徴とする請求項１又は請求項２に記載のファクシミリ装置。
【請求項４】
該画像読み取り手段は、該スキャン画像データを原稿サイズ１枚分の容量より小さい容量のブロック単位ごとに転送することを特徴とする請求項１乃至請求項３のいずれかに記載のファクシミリ装置。
【請求項５】
原稿画像を読み取る画像読み取り手段と、該画像読み取り手段によって読み取られた画像データ基づいて非回転画像データと回転画像データの２つの画像データを準備しておき、該画像読み取り手段に設けられた原稿サイズを検知する原稿サイズ検知手段によって検知された原稿サイズに応じて、該非回転画像データ又は該回転画像データのいずれかを取捨選択することを特徴とする画像データ処理方法。
【発明の詳細な説明】
【技術分野】
【０００１】
本発明は、スキャナ部が読み取った原稿画像を電話回線を通じて遠隔地の他のファクシミリ装置に送信するファクシミリ装置、及び、このようなファクシミリ装置における画像データの処理方法に関する。
【背景技術】
【０００２】
スキャナ及びプリンタを備えたデジタル複合機（以下、単に複合機という）と呼ばれる装置がある。この複合機では、スキャナが原稿画像を読み取るスキャナ機能、プリンタが印刷を行う印刷機能、及びスキャナが読み取った原稿画像をプリンタが印刷するコピー機能などを備える。近年、この複合機にさらにファクシミリの送受信機能を備えたものが登場している。
【０００３】
例えば、特許文献１（特開２００４−３６３７０５号公報）には、原稿を画像情報として読み取ったスキャンデータを用い、少なくとも同報送信可能なファクシミリ装置としての機能を含む複数の機能を備えた複合装置であって、前記同報送信時には、前記スキャンデータを符号化した送信データを蓄積し、当該送信データを各送信先の条件に応じた解像度に変換した後に、前記各送信先に送信する複合装置において、前記スキャンデータの解像度を変換する第一の解像度変換手段と、前記第一の解像度変換手段とは別に設けられた、前記同報送信時における各送信先の条件に応じた解像度変換を行う第二の解像度変換手段とを有することを特徴とする複合装置が開示されている。
【特許文献１】特開２００４−３６３７０５号公報
【発明の開示】
【発明が解決しようとする課題】
【０００４】
従来のファクシミリ装置においては、原稿スキャン部に自動的に連続的に原稿を送致する構成である自動原稿搬送装置（ＡＤＦ：Ａｕｔｏｍａｔｉｃ  Ｄｏｃｕｍｅｎｔ  Ｆｅｅｄｅｒ）を設けてあるものが多い。このようなＡＤＦのうちシートフィード式のスキャン部に設けられたものは、原稿を搬送しながらスキャンを実施するので、原稿サイズが混載している場合、スキャン完了後に原稿サイズが分かる構造となっている。
【０００５】
一方、ファクシミリ送信においては、例えばＡ４の原稿を送信する場合、原稿の長手方向を搬送方向（副走査方向）とするようなプロトコルで送信が行われる。したがって、送信原稿をこの方向から９０°回転させた状態でスキャンしたような場合には、装置側で送信プロトコルに沿うようにスキャンデータを９０°回転させて元に戻す、という操作が必要となる。このようなスキャンデータの回転機能は、ファクシミリ装置の機能と一般的に定着している。
【０００６】
ところで、シートフィード式のスキャン部に設けられたＡＤＦでは、スキャン完了後に初めて原稿のサイズが判明する仕組みであることから、スキャンデータ回転機能を用いる場合、スキャンデータをそのまま送信に利用できるのか、或いは９０°回転してから送信する必要があるのかが、スキャン完了まで判明しない。したがって、スキャンデータを１ページ分そのまま一時保存しておくためのメモリが必要となってしまい、メモリの使用効率が悪い、という問題があった。また、スキャンデータを１ページ分そのまま一時保存しておいて、原稿サイズが判明してから、その後の処理が進められるために、ファクシミリ送信処理に時間がかかる、という問題もあった。
【課題を解決するための手段】
【０００７】
上記のような問題に対処するために、本発明のファクシミリ装置は、原稿を搬送しながら原稿画像を読取るシートフィード式画像読み取り手段と、該画像読み取り手段に設けられ原稿サイズを検知する原稿サイズ検知手段と、該画像読み取り手段で読み取ったスキャン画像データに対して解像度変換処理を施す第１画像処理手段と、該画像読み取り手段で読み取ったスキャン画像データに対して回転処理を施した後解像度変換処理を施す第２画像処理手段と、該第１画像処理手段により生成された非回転画像データを二値化する第１二値化処理手段と、該第１二値化処理手段により二値化された非回転画像データを保存する第１二値化バッファメモリ手段と、該第２画像処理手段により生成された回転画像データを二値化する第２二値化処理手段と、該第２二値化処理手段により二値化された非回転画像データを保存する第２二値化バッファメモリ手段と、からなり、該原稿サイズ検知手段によって１枚の原稿の読み取り完了直後に検知された原稿サイズに応じて該第１画像処理手段又は該第２画像処理手段のいずれかを解放することを特徴とする。
【０００８】
また、本発明のファクシミリ装置は、該原稿サイズ検知手段によって１枚の原稿の読み取り完了直後に検知された原稿サイズに応じて該第１二値化バッファメモリ手段又は該第２二値化バッファメモリ手段のいずれかを解放することを特徴とする。
【０００９】
また、本発明のファクシミリ装置は、該第１二値化処理手段により二値化された非回転画像データを符号化する第１符号化手段と、該第１符号化手段により符号化された非回転画像データを保存する第１符号化バッファメモリ手段と該第２二値化処理手段により二値化された回転画像データを符号化する第２符号化手段と、を有し、該第２符号化手段により符号化された回転画像データを保存する第２符号化バッファメモリ手段と、を有し、該原稿サイズ検知手段によって１枚の原稿の読み取り完了直後に検知された原稿サイズに応じて該第１符号化バッファメモリ手段又は該第２符号化バッファメモリ手段のいずれかを解放することを特徴とする。
【００１０】
また、本発明のファクシミリ装置は、該画像読み取り手段は、該スキャン画像データを原稿サイズ１枚分の容量より小さい容量のブロック単位ごとに転送することを特徴とする。
【００１１】
また、本発明の画像データ処理方法は、原稿画像を読み取る画像読み取り手段と、該画像読み取り手段によって読み取られた画像データに基づいて非回転画像データと回転画像データの２つの画像データを準備しておき、該画像読み取り手段に設けられた原稿サイズを検知する原稿サイズ検知手段によって検知された原稿サイズに応じて、該非回転画像データ又は該回転画像データのいずれかを取捨選択することを特徴とする。
【００１２】
本発明のファクシミリ装置及び画像データ処理方法によれば、シートフィード式スキャナ部を使用し、スキャンデータ回転機能を用いる場合でも、送信画像データを保存するメモリを大幅に削減することができる。また、シートフィード式スキャナ部を使用し、スキャンデータ回転機能を用いる場合でも、ファクシミリ送信処理時間を短縮することができる。
【発明を実施するための最良の形態】
【００１３】
以下、本発明の実施の形態を図面を参照しつつ説明する。本実施形態においてはファクシミリ装置として複合機を例にとり説明するが、本発明はこのような複合機に限らず単体としてのファクシミリ専用機などの画像形成装置にも適用可能なものである。
【００１４】
図１は本発明の実施の形態に係るファクシミリ装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はファクシミリ文書の送受信を行うファクシミリ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。
【００１５】
図１に示されるファクシミリ装置（複合機）周辺のシステムでは、クライアントなどのパーソナルコンピュータ２００、２００’、２００’’と複合機１００とが、ネットワーク１０を介して接続される構成となっている。また、複合機１００のファクシミリ部１２０が電話回線２０と、ＵＳＢ  Ｉ／Ｆ１７０が、携帯電話やデジタルカメラなどの外部機器３００と接続されるような構成とされている。
【００１６】
複合機１００は、情報処理装置からなる複合機本体の主制御を行う制御部１１０と、ユーザーの入力操作を受け付ける入出力装置である操作パネル部１５０と、原稿・画像をスキャンしてカラーで読み込むスキャナ部１４０と、印刷用紙等に印刷を行うプリンタ部１３０と、ファクシミリ送受信を行うファクシミリ部１２０とを備える。つまり、複合機１００は、スキャナ機能、印刷機能、スキャナ機能と印刷機能を組み合わせたコピー機能及びファクシミリ送受信機能を備えるものである。
【００１７】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００１８】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機に１００には、スキャナ部１４０に自動的に連続的に原稿を送致する構成である自動原稿搬送装置（ＡＤＦ：Ａｕｔｏｍａｔｉｃ  Ｄｏｃｕｍｅｎｔ  Ｆｅｅｄｅｒ）が設けられている。
【００１９】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ファクシミリ部１２０から電話回線を通じて送信したり（複合機１００のファクシミリ機能）、ネットワークＩ／Ｆ１６０、ネットワーク１０を介して、パーソナルコンピュータ２００、２００’、２００’’に向けて送信したり（複合機１００のスキャナ機能）する。
【００２０】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやファクシミリ部２１０で受信されたファクシミリデータや、パーソナルコンピュータ２００、２００’、２００’’のアプリケーションソフトウエアからのデータや外部機器３００からの画像データなどを紙出力するものである。
【００２１】
ファクシミリ部１２０は、電話回線２０と接続されていて、ファクシミリの送受信を行うファクシミリ送受信部（不図示）と、ファクシミリ送受信部が送信するための送信データを一時記憶する送信バッファ及びファクシミリ送受信部が受信した受信データを一時記憶する受信バッファを構成するためのファクシミリ部用のメモリを備えている。
【００２２】
また、ファクシミリ部１２０は、電話回線２０からファクシミリ送信されてきたデータを受信すると、その受信データを一旦格納する。そして、格納された受信データは、制御部１１０へ送られて、プリンタ部１３０で印刷される。ファクシミリ部１２０は、複合機１００内の他の構成とは独立にファクシミリ送受信を行う。つまり、ファクシミリ部１２０は、複合機１００から送信データを受け付けると、複合機１００とは独立にファクシミリ送信を行うし、電話回線２０からファクシミリデータが送信されてくれば、それを受信する。
【００２３】
複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００２４】
操作パネル部１５０のハードウエアは、操作に係わる表示を行うＬＣＤからなる表示部と、指などによる押圧で入力が行えるタッチパネル部とから概略構成される。これらの表示部とタッチパネル部とは重ねて構成されており、ユーザーは表示部の表示を参照しつつ、指でタッチパネル部を操作することで複合機１００の各種設定を行うことができるようになっている。タッチパネル部による入力機構、表示部による表示機構の具体的な構成については、周知の技術を用いることができる。この操作パネル部１５０で行うことができるのは、複合機１００のファクシミリ機能、プリンタ機能、コピー機能といった各種機能の選択、画像のプレビュー表示などである。
【００２５】
次に、本発明で用いられる、スキャナ部１４０に搭載される自動原稿搬送装置（ＡＤＦ：Ａｕｔｏｍａｔｉｃ  Ｄｏｃｕｍｅｎｔ  Ｆｅｅｄｅｒ）について説明する。図２は、本発明の実施の形態に係るファクシミリ装置（複合機）の自動搬送装置の概略構成を示す図である。
【００２６】
自動原稿搬送装置１４２０は、自動原稿搬送装置本体１４２１と、原稿載置トレイ１４２２と、第１の原稿搬送手段１４２３と、原稿排出トレイ１４２４とを備える。原稿排出トレイ１４２４は、原稿搬送装置本体１４２１上面の一部として一体に形成されている。原稿載置トレイ１４２２は原稿搬送路１４２７の上流端をなし、原稿排出トレイ１４２４は原稿搬送路１４２７の下流端をなす。第１の原稿搬送手段１４２３内の原稿搬送路１４２７には、原稿搬送方向上流側から順にピックアップローラ１４２３ａ、複数の搬送ローラ１４２３ｂ、レジストローラ１４２３ｃ、および排出ローラ１４２３ｄが設けられている。そして、原稿搬送路１４２７のうち、レジストローラ１４２３ｃの下方、透明ガラス製のプラテン１４４１の上面に第１の読み取り位置１４２８が設定されている。第１の読み取り位置１４２８は透明ガラス製のプラテン１４４１の上面に設定されている。原稿載置トレイ１４２２にセットされた原稿（不図示）は、操作パネル部１５０のスキャン開始ボタン（不図示）が押されると、前記各ローラによって原稿搬送路１４２７を搬送され、途中第１の読み取り位置１４２８で次に説明する画像読み取り部１４４０によって画像が読み取られる。
【００２７】
スキャナ部１４０には、画像読み取り部１４４０が内蔵されている。画像読み取り部１４４０は、透明ガラス製のプラテン１４４１、露光ランプ１４４２、第１のミラー１４４３、第２のミラー１４４４、第３のミラー１４４５、集光レンズ１４４６およびイメージセンサ（例えばライン型のＣＣＤ）１４４７を備える。露光ランプ１４４２および第１のミラー１４４３は露光装置枠１４４８ａの内部に配置され、露光装置１４４８を構成する。露光装置１４４８は、ワイヤー１４４９ａとプーリー１４４９ｂとプーリー１４４９ｂに連結された図示しないモータからなる露光装置駆動部１４４９により図中左右方向に水平に移動することができる。
【００２８】
原稿を第１の原稿搬送手段により自動搬送して原稿画像を読み取る場合には、露光装置１４４８が第１の読み取り位置１４２８の直下に移動し、露光ランプ１４４２からの光照射光が移動中の原稿を露光する。照射光は第１ミラー１４４３、第２ミラー１４４４、第３ミラー１４４５、集光レンズ１４４６を通じてＣＣＤ１４４７に到達して光電変換処理を経て電気信号となるように読み取られる。また、原稿固定方式で原稿画像を読み取る場合には、プラテン１４４１の上に載置された原稿を露光装置１４４８が移動しながら露光することにより、自動搬送の場合と同様に読み取られる。このような自動原稿搬送装置１４２０においては、原稿と原稿との間の切れ目をＣＣＤ１４４７でセンスすることなどによって、原稿サイズの検出が図られる。ここで、このようなスキャナ部１４０の自動原稿搬送装置１４２０に設けられる原稿サイズ検出機構を原稿サイズ検出部１４１と称することとする。
【００２９】
以上のように構成される複合機１００におけるファクシミリ部１２０についてより詳しく説明する。図３は、本発明の実施の形態に係るファクシミリ装置（複合機）の画像送信のための構成を抜き出して示した図である。
【００３０】
図３における、図１に示さなかった部分について説明すると、１１１は解像度設定部、１１２は転送用メモリ、１１３は解像度の設定用テーブル、１１４は画像処理中止信号生成部、１１５はメモリ解放信号生成部、１２１は画像処理部、１２１ａは非回転系画像処理部、１２１ｂは回転系画像処理部、１２２は二値化部、１２２ａは非回転系二値化部、１２２ｂは回転系二値化部、１２３は符号化部、１２３ａは非回転系符号化部、１２３ｂは回転系符号化部、１２４は送信部をそれぞれ示すものである。
【００３１】
複合機１００においてファクシミリ送信を行う場合、ユーザーは操作パネル部１５０により、送信画質モードを選択する。
【００３２】
ユーザーが設定可能なファクシミリ送信におけるモノクロの送信画質モードには「標準モード」、「精細モード」、「高精細モード」がある。標準モードは、主走査方向の解像度は２０３ｄｐｉであり、また副走査方向の解像度は９８ｄｐｉである。また、精細モードは、主走査方向の解像度は２０３ｄｐｉであり、また副走査方向の解像度は１９６ｄｐｉである。また、高精細モードは、主走査方向の解像度は約２０３ｄｐｉであり、また副走査方向の解像度は約３９１ｄｐｉである。本発明においては、従来の課題を解決するために、取り込んだままのスキャンデータと、スキャンデータ回転機能用の回転処理したデータとの双方を予め用意するようなデータ処理を行うものである。そのために、スキャナ部１４０におけるスキャナの段階で、回転機能も想定したスキャンを行わなければならない。そこで、本発明では、主走査方向の解像度、副走査方向の解像度のうち、高い方の解像度に合わせてスキャンを行うようにスキャナ部１４０を制御する。
【００３３】
図４は、本発明の実施の形態に係るファクシミリ装置（複合機）が参照する解像度の設定用テーブル１１３の内容を示す図である。図４の設定用テーブル１１３は、操作パネル部１５０のユーザー設定による送信画質モード（解像度）と、スキャナ部１４０で設定する解像度との関係を記述したものである。なお、ここでの送信画質モードは、モノクロデータに話題を限定する。
【００３４】
本実施形態においては、ユーザーが「標準モード」を選択した場合には、解像度設定部１１１がスキャナ部１４０で設定する解像度は、主走査方向の解像度を２０３ｄｐｉとし、副走査方向の解像度を２０３ｄｐｉとする。このような設定を行うために、解像度設定部１１１は設定用テーブル１１３の（Ｉ）を参照する。また、ユーザーが「精細モード」を選択した場合には、解像度設定部１１１がスキャナ部１４０で設定する解像度は、主走査方向の解像度を２０３ｄｐｉとし、副走査方向の解像度を２０３ｄｐｉとする。この設定のために、解像度設定部１１１は設定用テーブル１１３の（ＩＩ）を参照する。ユーザーが「高精細モード」を選択した場合には、解像度設定部１１１がスキャナ部１４０で設定する解像度は、主走査方向の解像度を３９１ｄｐｉとし、副走査方向の解像度を３９１ｄｐｉとする。この設定のために、解像度設定部１１１は設定用テーブル１１３の（ＩＩＩ）を参照する。
【００３５】
このような図４のテーブルの設計思想は、少なくとも主走査方向の解像度、副走査方向の解像度のうち、高い方の解像度に合わせてスキャンを行っておけば、スキャンデータを画像処理したときにも画質の劣化がない、ということに基づいている。しかし、画質の劣化が問題とならないような設計思想に基づくのであれば、主走査方向の解像度、副走査方向の解像度のうち、低い方の解像度に合わせてスキャンを行う、ということも考えられる。
【００３６】
スキャナ部１４０は、原稿に記載されている文字や絵などを画像情報として読み取る部分であり、読み取り後の画像情報を画像データとして出力する。この画像データは、例えば、画素毎の色情報を例えば８ビット（２５６階調）の多値で表現したデータであり、以下、このスキャナ部１４０から出力される画像データのことをスキャン画像データなどと称することがある。スキャナ部１４０から出力されるスキャン画像データは、制御部１１０の転送用メモリ１１２を介して、次にファクシミリ部１２０の画像処理部１２１へと転送される。このようなスキャン画像データのデータ転送においては、原稿サイズ１枚分の容量より小さい容量のブロック単位ごとに転送することで、後述の種々の処理を前倒しできるようになっている。
【００３７】
従来のシートフィード式のスキャン部では、スキャン完了後に原稿のサイズが判明してから、このようなスキャン画像データのデータ転送を行っていた。このため、スキャンデータを１ページ分そのまま一時保存しておくためのメモリが必要となってしまい、メモリの使用効率が悪く問題となっていた。本発明では、上述のように適宜ブロック単位でスキャン画像データを転送すると共に、後述するようにファクシミリ部１２０において、画像処理部１２１で回転・非回転の画像処理を施してから、二値化、符号化をして生のスキャン画像データよりサイズの小さいデータに落とし込む作業を行う。このようにすることでメモリの使用効率の改善を図ることができるのである。また、本発明では、上述のように適宜ブロック単位でスキャン画像データを転送することで、後述の種々の処理を前倒しできるようになり、ファクシミリ送信処理の時間短縮を図ることができる。
【００３８】
スキャナ部１４０の自動原稿搬送装置１４２０には、原稿サイズの検出機構である原稿サイズ検出部１４１が設けられており、スキャナ部１４０１が１ページのスキャン完了後に原稿サイズ検出部１４１が原稿のサイズを検出して、当該原稿のサイズを制御部１１０の画像処理中止信号生成部１１４とメモリ解放信号生成部１１５に出力するようになっている。画像処理中止信号生成部１１４から出力される信号は、ファクシミリ部１２０の画像処理部１２１に入力される。画像処理部１２１においては、この信号の入力に伴い、非回転系の画像処理、回転系の画像処理のいずれかを中止する。また、メモリ解放信号生成部１１５から出力される信号は、ファクシミリ部１２０の二値化部１２２及び符号化部１２３に入力される。二値化部１２２及び符号化部１２３においては、非回転系のデータを蓄積するバッファメモリと回転系のデータを蓄積するバッファメモリの双方を有しているが、この信号の入力に伴い、非回転系のバッファメモリ、回転系バッファメモリのいずれかを解放するように制御する。
【００３９】
画像処理部１２１は、スキャナ部１４０で生成されたスキャン画像データに対して、非回転系の画像データと回転系の画像データを生成する２系統のラインを有している。このような非回転系の画像データと回転系の画像データを処理する２系統のラインは、二値化部１２２及び符号化部１２３も有している。
【００４０】
非回転系の画像データ処理においては、スキャン画像データの主走査方向をそのまま送信データの主走査方向として、また、スキャン画像データの副走査方向をそのまま送信データの副走査方向として処理する。一方、回転系の画像データ処理においては、スキャン画像データの主走査方向は、送信データの副操作方向として、また、スキャン画像データの副走査方向は送信データの主操作方向として処理する必要がある。
【００４１】
いま、仮にユーザーが「標準モード」を選択した場合について考える。「標準モード」における送信プロトコルは主走査方向２０３ｄｐｉ、副走査方向９８ｄｐｉである。したがって、ファクシミリ部１２０における送信部ではこのような形式のデータを準備する必要がある。これに対応し、かつスキャンデータが回転されることも考慮し、かつ、画像の劣化を招かないようにするために、スキャナ部１４０では、主走査方向２０３ｄｐｉ、副走査方向２３０ｄｐｉの形式でスキャンを実行する。
【００４２】
このような具体例に基づいて説明する。非回転系のデータ処理においては、スキャン画像データとして取り込まれた主走査方向２０３ｄｐｉ、副走査方向２０３ｄｐｉの画像は、送信プロトコルに従うために、主走査方向２０３ｄｐｉ、副走査方向９８ｄｐｉの画像に変換しなくてはならない。画像処理部１２１の非回転系画像処理部１２１ａの解像度変換部では、このような解像度変換を行うように設定されている。
【００４３】
次に、回転系のデータ処理について上述の例に基づいて説明する。スキャナ部１４０で読み取られたスキャン画像データは、ファクシミリ装置における回転機能のために９０°回転する画像処理が施される。この画像処理を行うのが、回転系画像処理部１２１ｂのうちの回転処理部である。スキャナ部１４０で取り込まれた主走査方向２０３ｄｐｉ、副走査方向２０３ｄｐｉのスキャン画像データは、９０°回転されて、主走査方向２０３ｄｐｉ、副走査方向２０３ｄｐｉの被回転スキャン画像データとなる。この被回転スキャン画像データである主走査方向２０３ｄｐｉ、副走査方向２０３ｄｐｉの画像データは、送信プロトコルに従うために、主走査方向２０３ｄｐｉ、副走査方向９８ｄｐｉの画像に変換しなくてはならない。このような解像度変換を行うのが、回転系画像処理部１２１ｂのうちの解像度変換部である。
【００４４】
同様に、精細モードでは、主走査方向２０３ｄｐｉ、副走査方向１９６ｄｐｉが規定の送信プロトコルなので、上記と同じような解像度変換を行う。
【００４５】
また、高精細モードでも、主走査方向２０３ｄｐｉ、副走査方向３９１ｄｐｉが規定の送信プロトコルなので、上記と同じような解像度変換を行う。
【００４６】
画像処理部１２１は、上述のようなスキャン画像データの画像処理の以外にも通常のファクシミリ装置にて行われている画像処理も行うものである。スキャナ部１４０で生成されるスキャン画像データは、多値で表現された、所謂グレースケールデータであり、このようなグレースケールデータに対して、画像処理部１２１ではエッジ強調、モアレ除去、背景除去などの画像処理を行うことによってファクシミリ送信画像の画質の向上を図るものである。なお、このような画像処理はエッジ強調、モアレ除去、背景除去単独の処理を行ってもよいし、全ての処理を行ってもよいし、または任意の組み合わせを実行してもよい。画像処理部１２１におけるエッジ強調、モアレ除去、背景除去などの画像処理についてはいずれも周知の方法を用いることができる。
【００４７】
スキャナ部１４０の原稿サイズ検出部１４１にて原稿のサイズが判明すると、画像処理部１２１において処理している非回転系の画像データか回転系の画像データのいずれかが不要となる。このため、画像処理部１２１は画像処理中止信号生成部１１４を受信して、非回転系画像処理部１２１ａか回転系画像処理部１２１ｂのいずれかの処理部の処理を中止する。
【００４８】
二値化部１２３は、多値（例えば８ビット）の画像データを２値に変換する部分である。前記スキャナ部１４０で読み込んだ原稿をモノクロの画像データとしてファクシミリ送信したり印刷したりする際に、処理を実行する。ここで、二値化処理としては、ニアレストネイバー法、バイリニア法などいずれも周知の方法を用いることができる。
【００４９】
なお、ニアレストネイバー法は、拡大（縮小）率に応じて、変換前の座標から適切なピクセル座標を取得し、その座標を変換後の色として採用するものである。従って、変換前と変換後とで色数が変化することはない。ニアレストネイバー法は、高速で処理できる反面、いわゆる単純間引きのため、画質の低下は否めない。
【００５０】
また、バイリニア法は、拡大（縮小）率に応じて、変換後のピクセルが変換前の領域に相当するのかを取得し、その領域内にある色を線形補完して、変換後のピクセルとするものである。従って、バイリニア法は、変換前には存在しない色が含まれることになり、一般的に色数は増える傾向にある。
【００５１】
画像処理部１２１の非回転系画像処理部１２１ａから出力されるデータは、二値化部１２２の非回転系二値化部１２２ａに入力される。非回転系二値化部１２２ａでは、入力データの二値化を行うと共に、内蔵するバッファメモリにブロック単位ごとに二値化されたデータを蓄積していく。同様に、画像処理部１２１の回転系画像処理部１２１ｂから出力されるデータは、二値化部１２２の回転系二値化部１２２ｂに入力される。回転系二値化部１２２ｂでは、入力データの二値化を行うと共に、内蔵するバッファメモリにブロック単位ごとに二値化されたデータを蓄積していく。
【００５２】
スキャナ部１４０の原稿サイズ検出部１４１にて原稿のサイズが判明すると、二値化部１２２において処理している非回転系の画像データか回転系の画像データのいずれかが不要となる。このため、二値化部１２２はメモリ解放信号生成部１１５を受信して、非回転系二値化部１２２ａか回転系二値化部１２２ｂのいずれかの二値化部のバッファメモリを解放する。
【００５３】
符号化部１２３は、画像データをエンコード（符号化）する部分である。前記スキャナ部１４０で読み取ったスキャン画像データ等をファクシミリ送信する際には、送信先（相手機）に合ったエンコード方式でデータを送る必要があるため、この符号化部１２３は、そのためのエンコードを行う。例えば、モノクロデータの場合には、ＭＨ、ＭＲ、ＭＭＲといった形式にエンコードする。
【００５４】
二値化部１２２の非回転系二値化部１２２ａのバッファメモリから出力されるデータは、符号化部１２３の非回転系符号化部１２３ａに入力される。非回転系符号化部１２３ａでは、上述のような形式で入力データの符号化を行うと共に、内蔵するバッファメモリにブロック単位ごとに符号化されたデータを蓄積していく。同様に、二値化部１２２の回転系二値化部１２２ｂのバッファメモリから出力されるデータは、符号化部１２３の回転系符号化部１２３ｂに入力される。回転系符号化部１２３ｂでは、上述のような形式で入力データの符号化を行うと共に、内蔵するバッファメモリにブロック単位ごとに符号化されたデータを蓄積していく。
【００５５】
スキャナ部１４０の原稿サイズ検出部１４１にて原稿のサイズが判明すると、符号化部１２３において処理している非回転系の画像データか回転系の画像データのいずれかが不要となる。このため、符号化部１２３はメモリ解放信号生成部１１５を受信して、非回転系符号化部１２３ａか回転系符号化部１２３ｂのいずれかの二値化部のバッファメモリを解放する。
【００５６】
送信部１２５は、符号化部１２３で符号化された画像データを一時的に記憶する送信用のバッファメモリ（不図示）を備える。送信部１２５は、当該バッファメモリから画像データを取り出して、モデムによって相手機の解像度やエンコード方式等についても交信を行いつつ、逐次画像データを送信していく。
【００５７】
以上のように、本発明では、ファクシミリ部１２０において、画像処理部１２１で回転系データの画像処理・非回転系データの画像処理の２系統の画像処理を適宜ブロック単位で行う。そして、このような２系統の画像処理を施してから、二値化、符号化を施して、生のスキャン画像データよりサイズの小さいデータに落とし込んでいく。一方、原稿サイズ検出部１４１によって、原稿のサイズが判明すると、画像処理中止信号生成部１１４から画像処理部１２１に対して２系統のうち１系統の画像処理を中止するような制御信号が発せられる。また、原稿サイズ検出部１４１によって、原稿のサイズが判明すると、メモリ解放信号生成部１１５から二値化部１２２及び符号化部１２３にたいして、回転系・非回転系の２系統のうち１系統のバッファメモリを解放するような制御信号が発せられる。このようにすることで、本発明においては、メモリの使用効率の改善を図ることができる。また、適宜ブロック単位で回転系のデータ処理・非回転系のデータ処理を並行的に行うので、種々の処理を前倒しできるようになり、ファクシミリ送信処理の時間短縮を図ることができる。
【００５８】
以上、本発明のファクシミリ装置及び画像データ処理方法によれば、シートフィード式のスキャナ部を使用し、スキャンデータ回転機能を用いる場合でも、送信画像データを保存するメモリを大幅に削減することができる。また、シートフィード式スキャナを使用し、スキャンデータ回転機能を用いる場合でも、ファクシミリ送信処理時間を短縮することができる。
【図面の簡単な説明】
【００５９】
【図１】本発明の実施の形態に係るファクシミリ装置（複合機）及びその周辺のシステム構成を示す図である。
【図２】本発明の実施の形態に係るファクシミリ装置（複合機）の自動搬送装置の概略構成を示す図である。
【図３】本発明の実施の形態に係るファクシミリ装置（複合機）の画像送信のための構成を抜き出して示した図である。
【図４】本発明の実施の形態に係るファクシミリ装置（複合機）が参照する解像度の設定用テーブルを示す図である。
【符号の説明】
【００６０】
１０・・・ネットワーク、２０・・・電話回線、１００・・・複合機、１１０・・・制御部、１１１・・・解像度設定部、１１２・・・転送用メモリ、１１３・・・解像度の設定用テーブル、１１４・・・画像処理中止信号生成部、１１５・・・メモリ解放信号生成部、１２０・・・ファクシミリ部、１２１・・・画像処理部、１２１ａ・・・非回転系画像処理部、１２１ｂ・・・回転系画像処理部、１２２・・・二値化部、１２２ａ・・・非回転系二値化部、１２２ｂ・・・回転系二値化部、１２３・・・符号化部、１２３ａ・・・非回転系符号化部、１２３ｂ・・・回転系符号化部、１２４・・・送信部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器、１４２０・・・自動原稿搬送装置、１４２１・・・自動原稿搬送装置本体、１４２２・・・原稿載置トレイ、１４２３・・・第１の原稿搬送手段、ピックアップローラ・・・１４２３ａ、搬送ローラ・・・１４２３ｂ、レジストローラ・・・１４２３ｃ、排出ローラ・・・１４２３ｄ、１４２４・・・原稿排出トレイ、１４２７・・・原稿搬送路、１４２８・・・第１の読み取り位置、１４４０・・・画像読み取り部、１４４１・・・プラテン、１４４２・・・露光ランプ、１４４３・・・第１のミラー、１４４４・・・第２のミラー、１４４５・・・第３のミラー、１４４６・・・集光レンズ、１４４７・・・イメージセンサ（ライン型のＣＣＤ）、１４４８・・・露光装置、１４４８ａ・・・露光装置枠、１４４９・・・露光装置駆動部、１４４９ａ・・・ワイヤー、１４４９ｂ・・・プーリー
【図１】
2008205997.tif 000003
【図２】
2008205997.tif 000004
【図３】
2008205997.tif 000005
【図４】
2008205997.tif 000006